(57)【要約】【課題】本発明は、ＰＣＢ上に搭載されたＰＣＢ実装部品を外部からの干渉などによる破損から保護することを目的とする。【解決手段】本発明による液晶表示装置は、液晶パネルと、液晶パネル全面に光を照射するバックライトユニットとを備える液晶モジュール１と、バックライトユニットへ電力を供給するバックライトケーブル６と、バックライトユニットから液晶モジュール１の裏面側に突出して形成され、バックライトケーブル６を保持するケーブルホルダ５と、液晶パネルに接続され、ＰＣＢ実装部品４を搭載しており、液晶モジュール１の裏面側に配置されたＰＣＢ３とを備え、ケーブルホルダ５はＰＣＢ実装部品４よりも液晶モジュール１の裏面側へ突出して形成されていることを特徴とする。【選択図】図５
2008216633.tif 000002
【特許請求の範囲】
【請求項１】
表示パネルと、前記表示パネル全面に光を照射するバックライトユニットとを備える表示モジュールと、
前記バックライトユニットへ電力を供給するバックライトケーブルと、
前記バックライトユニットから前記表示モジュールの裏面側に突出して形成され、前記バックライトケーブルを保持するケーブルホルダと、
前記表示パネルに接続され、実装部品を搭載しており、前記表示モジュールの裏面側に配置されたプリント基板と、
を備え、前記ケーブルホルダは前記実装部品よりも前記表示モジュールの裏面側へ突出して形成されていることを特徴とする、表示装置。
【請求項２】
前記ケーブルホルダは、前記表示モジュールの裏面に偏在して配置され、
表示装置は、前記ケーブルホルダが配置される偏在方向とは反対方向に偏在して前記表示モジュールの裏面に配置される前記ケーブルホルダと同等の高さの突起部をさらに備えることを特徴とする、請求項１に記載の表示装置。
【発明の詳細な説明】
【技術分野】
【０００１】
本発明は表示装置に関し、特に、表示装置の構造に関する。
【背景技術】
【０００２】
図１は、従来における表示装置の１つである液晶表示装置の側面図である。図１に示すように、従来の液晶表示装置は、液晶モジュール１内に設置されているバックライトユニット（図示せず）の光源であるランプ（図示せず）に対して電源からの電力を供給するために、バックライトコネクタ７を有するバックライトケーブル６を、バックライトユニットから液晶モジュール１の裏面側に突出して形成されているケーブルホルダ５によって保持する構造となっている。プリント基板（Ｐｒｉｎｔｅｄ  Ｃｉｒｃｕｉｔ  Ｂｏａｒｄ：ＰＣＢ）３はバックライトユニットにネジ止め固定され、液晶パネル（図示せず）とＴＣＰ（Ｔａｐｅ  Ｃａｒｒｉｅｒ  Ｐａｃｋａｇｅ）２によって接続されている。また、ＰＣＢ３上にはＰＣＢ実装部品４が半田付けされており、ポリエチレンテレフタレート（Ｐｏｌｙ  Ｅｔｈｙｌｅｎｅ  Ｔｅｒｅｐｈｔｈａｌａｔｅ：ＰＥＴ）等の材質からなるリア保護シート８に覆われている。図２は従来における液晶表示装置の背面斜視図であり、図３は図２におけるケーブルホルダ５周辺部の拡大図である。両図のように、ケーブルホルダ５にはバックライトケーブル６の幅程度のスリット部を設けており、スリット部にバックライトケーブル６を通すことによって保持する構造となっている。
【０００３】
基板上に搭載された実装部品を衝撃による干渉から保護する構造として、特許文献１のようなものがある。
【０００４】
【特許文献１】特開２００３−１０１２５７号公報
【発明の開示】
【発明が解決しようとする課題】
【０００５】
しかし、従来の液晶表示装置では、ケーブルホルダ５の機能はバックライトケーブル６の保持のみである。したがって、液晶モジュール１の組立作業や取り扱いなどといった様々な使用状況において作業台などの平坦な場所に置こうとすると、ＰＣＢ３上のＰＣＢ実装部品４の突出が原因となって、ＰＣＢ実装部品４が作業台などと干渉して破損してしまうという問題があった（図４参照）。また、特許文献１は液晶表示装置に関するものではなく、基板上に搭載された実装部品を衝撃による干渉から保護するという観点からも実装部品を用いて干渉から保護しているため、より衝撃が加えられた場合に実装部品が破損してしまうという問題がある。
【０００６】
本発明は、これらの問題を解決するためになされたもので、ＰＣＢ上に搭載されたＰＣＢ実装部品を外部からの干渉などによる破損から保護する液晶表示装置を提供することを目的とする。
【課題を解決するための手段】
【０００７】
上記の課題を解決するために、本発明による表示装置は、表示パネルと、表示パネル全面に光を照射するバックライトユニットとを備える表示モジュールと、バックライトユニットへ電力を供給するバックライトケーブルと、バックライトユニットから表示モジュールの裏面側に突出して形成され、バックライトケーブルを保持するケーブルホルダと、表示パネルに接続され、実装部品を搭載しており、表示モジュールの裏面側に配置されたプリント基板とを備え、ケーブルホルダは実装部品よりも表示モジュールの裏面側へ突出して形成されていることを特徴とする。
【発明の効果】
【０００８】
本発明は、請求項１に記載のように、ケーブルホルダはバックライトユニットから表示モジュールの裏面側に突出して形成され、バックライトケーブルを保持し、実装部品よりも表示モジュールの裏面側へ突出して形成されているため、バックライトケーブルを保持しつつ、ＰＣＢ上に搭載されたＰＣＢ実装部品を外部からの干渉などによる破損から保護することが可能となるという効果がある。
【発明を実施するための最良の形態】
【０００９】
本発明の実施形態について、図面に基づいて以下に説明する。
【００１０】
図５は、本発明の実施形態における表示装置の１つである表示装置の側面図である。図５に示すように、液晶パネル（図示せず）と液晶パネル全面に光を照射するバックライトユニット（図示せず）とを備える液晶表示モジュール１があり、バックライトユニットから液晶表示モジュール１の裏面側に突出したケーブルホルダ５によって、バックライトユニット１へ電力を供給しているバックライトコネクタ７を有したバックライトケーブル６を保持している。液晶表示モジュール１の裏面側に配置され、ＰＣＢ実装部品４を搭載しているＰＣＢ３は、バックライトユニットにネジ止め固定されており、液晶表示モジュール１内に設置されている液晶パネルとＴＣＰ２によって接続されている。ＰＣＢ３にはＰＣＢ実装部品４が半田付けされて、リア保護シート８によって覆われている。
【００１１】
本発明の実施形態の特徴は、バックライトユニットから液晶表示モジュール１の裏面側に突出しているケーブルホルダ５の高さを、ＰＣＢ実装部品４よりも高くしていることである。すなわち、ケーブルホルダ５はＰＣＢ実装部品４よりも液晶表示モジュール１の裏面側へ突出して形成されている。また、バックライトケーブル６は、図２に示すように液晶表示モジュール１の短手方向の片側から取り出すような構成となっているため、ケーブルホルダ５も液晶表示モジュール１の裏面に上記と同じ片側に偏在して設けられている。そして、図６のように、ケーブルホルダ５が配置されている液晶表示モジュール１の裏面の偏在方向とは反対方向に偏在した位置（上記片側と逆の片側）にケーブルホルダ５と同等の高さの突起部９を備えている。
【００１２】
このような構造にすることによって、図７のように、液晶表示モジュール１を組立作業や取り扱いなどといった様々な使用状況において作業台などの平坦な場所に置こうとする際に、ケーブルホルダ５によってＰＣＢ実装部品４が衝撃などの干渉を受けることから保護することが可能となる。
【００１３】
以上のように、ケーブルホルダ５の高さをＰＣＢ実装部品４よりも高くしていることから、バックライトケーブル６を保持すると同時に、作業台などの平坦部に置く際にはＰＣＢ実装部品４よりも先にケーブルホルダ５が接触するため、ＰＣＢ実装部品４を外部からの干渉などによる破損から保護することが可能となる。また、液晶表示モジュール１の裏面の片側でケーブルホルダ５によってバックライトケーブル６を保持している場合に、ケーブルホルダ５だけではなく突起部９を備えている方が、より安定してＰＣＢ実装部品４を外部からの干渉などによる破損から保護することが可能となる。
【図面の簡単な説明】
【００１４】
【図１】従来における表示装置の側面図である。
【図２】従来における表示装置の背面斜視図である。
【図３】図２におけるケーブルホルダ周辺部の拡大図である。
【図４】従来での取り扱い時における表示装置の側面図である。
【図５】本発明の実施形態における表示装置の側面図である。
【図６】本発明の実施形態における表示装置の裏面に設けた突起周辺の拡大図である。
【図７】本発明の実施形態での取り扱い時における表示装置の側面図である。
【符号の説明】
【００１５】
１  液晶表示モジュール、２  ＴＣＰ、３  ＰＣＢ、４  ＰＣＢ実装部品、５  ケーブルホルダ、６  バックライトケーブル、７  バックライトコネクタ、８  リア保護シート、９  ＰＣＢ実装部品保護突起。
【図１】
2008216633.tif 000003
【図２】
2008216633.tif 000004
【図３】
2008216633.tif 000005
【図４】
2008216633.tif 000006
【図５】
2008216633.tif 000007
【図６】
2008216633.tif 000008
【図７】
2008216633.tif 000009